(57)【特許請求の範囲】
【請求項１】
端末装置及びサーバ装置を含み、対象範囲における通信品質に関する通信品質情報を前記端末装置に表示させる通信品質情報表示システムであって、
前記サーバ装置は、
地図上の領域を分割して得られる複数のメッシュを含むメッシュグループを規定し、メッシュにおける通信品質に関する統計値であるメッシュ統計値を前記メッシュのそれぞれに対応付けて格納するメッシュ統計値格納手段と、
前記端末装置において決定された対象範囲に含まれるメッシュを選定するメッシュ選定手段と、
前記メッシュ選定手段によって選定されたメッシュのメッシュ統計値を、前記メッシュ統計値格納手段から取得するメッシュ統計値取得手段と、
を備え、
前記端末装置は、
前記対象範囲を決定する範囲決定手段と、
前記メッシュ統計値取得手段によって取得された前記メッシュ統計値に基づいて、前記対象範囲の統計値を算出する統計値算出手段と、
前記統計値算出手段によって算出された前記統計値に基づいて、前記対象範囲の通信品質情報を表示する表示手段と、
を備える、通信品質情報表示システム。
【請求項２】
前記表示手段は、所定の範囲の地図を表示し、
前記端末装置は、前記表示手段において表示されている地図のズーム率を取得するズーム率取得手段をさらに備え、
前記メッシュ統計値格納手段は、地図上の領域を分割する分割粗さに応じた複数のメッシュグループを、前記表示手段において表示されている地図のズーム率に対応付けて規定し、
前記メッシュ選定手段は、前記ズーム率取得手段によって取得された前記ズーム率に対応するメッシュグループのメッシュから前記対象範囲に含まれるメッシュを選定する、請求項１に記載の通信品質情報表示システム。
【請求項３】
前記端末装置は、
前記端末装置の通信品質に関する測定を行う測定手段と、
前記測定手段によって行われた測定の測定値と前記端末装置の位置情報とを含むログを生成するログ生成手段と、
をさらに備え、
前記サーバ装置は、
前記ログ生成手段によって生成されたログを格納するログ格納手段と、
前記ログ格納手段に格納されたログに基づいて、前記メッシュ統計値格納手段において規定されたメッシュのメッシュ統計値を算出し、算出したメッシュ統計値を前記メッシュ統計値格納手段に格納するメッシュ統計値算出手段と、
をさらに備える、請求項１または請求項２に記載の通信品質情報表示システム。
【請求項４】
前記範囲決定手段は、前記表示手段において表示されている地図の範囲を前記対象範囲として決定する、請求項１〜請求項３のいずれか一項に記載の通信品質情報表示システム。
【請求項５】
前記範囲決定手段は、ユーザによって指定された範囲を前記対象範囲として決定する、請求項１〜請求項３のいずれか一項に記載の通信品質情報表示システム。
【請求項６】
対象範囲における通信品質に関する通信品質情報を表示する端末装置であって、
対象範囲を決定する範囲決定手段と、
地図上の領域を分割して得られる複数のメッシュのうち前記範囲決定手段によって決定された前記対象範囲に含まれるメッシュの通信品質に関する統計値であるメッシュ統計値を取得し、取得した前記メッシュ統計値に基づいて、前記対象範囲の統計値を算出する統計値算出手段と、
前記統計値算出手段によって算出された前記統計値に基づいて、前記対象範囲の通信品質情報を表示する表示手段と、
を備える、端末装置。
【請求項７】
対象範囲における通信品質に関する通信品質情報を端末装置に表示させるための情報を提供するサーバ装置であって、
地図上の領域を分割して得られる複数のメッシュを含むメッシュグループを規定し、メッシュにおける通信品質に関する統計値であるメッシュ統計値を前記メッシュのそれぞれに対応付けて格納するメッシュ統計値格納手段と、
前記端末装置において決定された対象範囲に含まれるメッシュを選定するメッシュ選定手段と、
前記メッシュ選定手段によって選定されたメッシュのメッシュ統計値を、前記メッシュ統計値格納手段から取得して前記端末装置に送信するメッシュ統計値取得手段と、
を備える、サーバ装置。
【請求項８】
端末装置と、地図上の領域を分割して得られる複数のメッシュを含むメッシュグループを規定し、メッシュにおける通信品質に関する統計値であるメッシュ統計値を前記メッシュのそれぞれに対応付けて格納するメッシュ統計値格納手段を備えるサーバ装置と、を含む通信品質情報表示システムの通信品質情報表示方法であって、
前記端末装置が、対象範囲を決定する範囲決定ステップと、
前記サーバ装置が、前記範囲決定ステップにおいて決定された前記対象範囲に含まれるメッシュを選定するメッシュ選定ステップと、
前記サーバ装置が、前記メッシュ選定ステップにおいて選定されたメッシュのメッシュ統計値を、前記メッシュ統計値格納手段から取得するメッシュ統計値取得ステップと、
前記端末装置が、前記メッシュ統計値取得ステップにおいて取得された前記メッシュ統計値に基づいて、前記対象範囲の統計値を算出する統計値算出ステップと、
前記端末装置が、前記統計値算出ステップにおいて算出された前記統計値に基づいて、前記対象範囲の通信品質情報を表示する表示ステップと、
を備える、通信品質情報表示方法。
【請求項９】
コンピュータを、
対象範囲を決定する範囲決定手段、
地図上の領域を分割して得られる複数のメッシュのうち前記範囲決定手段によって決定された前記対象範囲に含まれるメッシュの通信品質に関する統計値であるメッシュ統計値を取得し、取得した前記メッシュ統計値に基づいて、前記対象範囲の統計値を算出する統計値算出手段、及び、
前記統計値算出手段によって算出された前記統計値に基づいて、前記対象範囲の通信品質情報を表示する表示手段、
として機能させる、通信品質情報表示プログラム。
【発明の詳細な説明】
【技術分野】
【０００１】
本発明は、通信品質情報表示システム、端末装置、サーバ装置、通信品質情報表示方法、及び、通信品質情報表示プログラムに関する。
【背景技術】
【０００２】
端末装置が行う通信では、端末装置の位置に応じて電波強度及び通信速度等の通信品質が変化し得る。このため、所望の位置または範囲における通信品質を確認するシステムが望まれている。例えば、特許文献１には、通信装置が存在する位置を中心とした所定の範囲内で取得された通信関連ログを抽出し、抽出した通信関連ログに含まれる通信速度の平均値を算出し、通信品質に関する通信品質情報の表示を行う情報システムが記載されている。
【先行技術文献】
【特許文献】
【０００３】
【特許文献１】特開２０１４−７２６８３号公報
【発明の概要】
【発明が解決しようとする課題】
【０００４】
特許文献１に記載の情報システムでは、情報処理装置が、所定の範囲内で取得された通信関連ログを抽出し、抽出した通信関連ログから平均値を算出している。しかしながら、膨大な量の通信関連ログが蓄積されているので、情報処理装置の処理が重くなり、通信品質に関する通信品質情報の表示が遅くなるおそれがある。
【０００５】
本発明は、上記問題点に鑑みてなされたものであり、所望の範囲における通信品質に関する通信品質情報の表示の高速化が可能な通信品質情報表示システム、端末装置、サーバ装置、通信品質情報表示方法、及び、通信品質情報表示プログラムを提供することを目的とする。
【課題を解決するための手段】
【０００６】
本発明の一態様に係る通信品質情報表示システムは、端末装置及びサーバ装置を含み、対象範囲における通信品質に関する通信品質情報を端末装置に表示させる通信品質情報表示システムである。サーバ装置は、地図上の領域を分割して得られる複数のメッシュを含むメッシュグループを規定し、メッシュにおける通信品質に関する統計値であるメッシュ統計値をメッシュのそれぞれに対応付けて格納するメッシュ統計値格納手段と、端末装置において決定された対象範囲に含まれるメッシュを選定するメッシュ選定手段と、メッシュ選定手段によって選定されたメッシュのメッシュ統計値を、メッシュ統計値格納手段から取得するメッシュ統計値取得手段と、を備える。端末装置は、対象範囲を決定する範囲決定手段と、メッシュ統計値取得手段によって取得されたメッシュ統計値に基づいて、対象範囲の統計値を算出する統計値算出手段と、統計値算出手段によって算出された統計値に基づいて、対象範囲の通信品質情報を表示する表示手段と、を備える。
【０００７】
この通信品質情報表示システムによれば、サーバ装置において、メッシュのそれぞれに対応付けてメッシュ統計値がメッシュ統計値格納手段に格納されており、端末装置において決定された対象範囲に含まれるメッシュがメッシュ選定手段によって選定され、選定されたメッシュのメッシュ統計値がメッシュ統計値取得手段によってメッシュ統計値格納手段から取得される。そして、端末装置では、サーバ装置において取得されたメッシュ統計値を用いて対象範囲の統計値が統計値算出手段によって算出され、算出された統計値に基づいて対象範囲の通信品質情報が表示手段によって表示される。このように、対象範囲内で取得されたログに含まれる測定値を用いることなく、メッシュ統計値を用いて対象範囲の統計値が算出される。このため、膨大な量のログを処理する必要がないので、対象範囲の統計値の算出を高速化することができ、その結果、通信品質に関する通信品質情報の表示の高速化が可能となる。
【０００８】
表示手段は、所定の範囲の地図を表示してもよく、端末装置は、表示手段において表示されている地図のズーム率を取得するズーム率取得手段をさらに備えてもよく、メッシュ統計値格納手段は、地図上の領域を分割する分割粗さに応じた複数のメッシュグループを、表示手段において表示されている地図のズーム率に対応付けて規定してもよく、メッシュ選定手段は、ズーム率取得手段によって取得されたズーム率に対応するメッシュグループのメッシュから対象範囲に含まれるメッシュを選定してもよい。この場合、端末装置において表示されている地図のズーム率に応じた分割粗さのメッシュのメッシュ統計値を用いて、対象範囲の統計値が算出される。このため、端末装置において表示されている地図のズーム率に応じて、対象範囲の統計値の算出に用いられるメッシュ統計値の数を調整することができる。例えば、端末装置において表示されている地図のズーム率が小さいときでも、対象範囲の統計値の算出に用いられるメッシュ統計値の数が膨大な量になることを抑制でき、対象範囲の統計値の算出を高速化することが可能となる。その結果、端末装置において表示されている地図のズーム率を変更しても、通信品質に関する通信品質情報の表示の高速化が可能となる。
【０００９】
端末装置は、端末装置の通信品質に関する測定を行う測定手段と、測定手段によって行われた測定の測定値と端末装置の位置情報とを含むログを生成するログ生成手段と、をさらに備えてもよく、サーバ装置は、ログ生成手段によって生成されたログを格納するログ格納手段と、ログ格納手段に格納されたログに基づいて、メッシュ統計値格納手段において規定されたメッシュのメッシュ統計値を算出し、算出したメッシュ統計値をメッシュ統計値格納手段に格納するメッシュ統計値算出手段と、をさらに備えてもよい。メッシュのメッシュ統計値は、時間とともに変化すると考えられる。これに対し、端末装置の測定値によってメッシュ統計値を更新することができるので、対象範囲の統計値の算出精度を向上することが可能となる。
【００１０】
範囲決定手段は、表示手段において表示されている地図の範囲を対象範囲として決定してもよい。この場合、表示手段において表示されている地図の範囲における通信品質情報の表示の高速化が可能となる。
【００１１】
範囲決定手段は、ユーザによって指定された範囲を対象範囲として決定してもよい。この場合、ユーザの所望の範囲における通信品質情報の表示の高速化が可能となる。
【００１２】
ところで、本発明は、上記のように通信品質情報表示システムの発明として記述できる他に、以下のように端末装置、サーバ装置、通信品質情報表示方法、及び、通信品質情報表示プログラムの発明としても記述することができる。これはカテゴリが異なるだけで、実質的に同一の発明であり、同様の作用及び効果を奏する。
【００１３】
すなわち、本発明の別の態様に係る端末装置は、対象範囲における通信品質に関する通信品質情報を表示する端末装置である。この端末装置は、対象範囲を決定する範囲決定手段と、地図上の領域を分割して得られる複数のメッシュのうち範囲決定手段によって決定された対象範囲に含まれるメッシュの通信品質に関する統計値であるメッシュ統計値を取得し、取得したメッシュ統計値に基づいて、対象範囲の統計値を算出する統計値算出手段と、統計値算出手段によって算出された統計値に基づいて、対象範囲の通信品質情報を表示する表示手段と、を備える。
【００１４】
本発明のさらに別の態様に係るサーバ装置は、対象範囲における通信品質に関する通信品質情報を端末装置に表示させるための情報を提供するサーバ装置である。このサーバ装置は、地図上の領域を分割して得られる複数のメッシュを含むメッシュグループを規定し、メッシュにおける通信品質に関する統計値であるメッシュ統計値をメッシュのそれぞれに対応付けて格納するメッシュ統計値格納手段と、端末装置において決定された対象範囲に含まれるメッシュを選定するメッシュ選定手段と、メッシュ選定手段によって選定されたメッシュのメッシュ統計値を、メッシュ統計値格納手段から取得して端末装置に送信するメッシュ統計値取得手段と、を備える。
【００１５】
本発明のさらに別の態様に係る通信品質情報表示方法は、端末装置と、地図上の領域を分割して得られる複数のメッシュを含むメッシュグループを規定し、メッシュにおける通信品質に関する統計値であるメッシュ統計値をメッシュのそれぞれに対応付けて格納するメッシュ統計値格納手段を備えるサーバ装置と、を含む通信品質情報表示システムの通信品質情報表示方法である。この通信品質情報表示方法は、端末装置が、対象範囲を決定する範囲決定ステップと、サーバ装置が、範囲決定ステップにおいて決定された対象範囲に含まれるメッシュを選定するメッシュ選定ステップと、サーバ装置が、メッシュ選定ステップにおいて選定されたメッシュのメッシュ統計値を、メッシュ統計値格納手段から取得するメッシュ統計値取得ステップと、端末装置が、メッシュ統計値取得ステップにおいて取得されたメッシュ統計値に基づいて、対象範囲の統計値を算出する統計値算出ステップと、端末装置が、統計値算出ステップにおいて算出された統計値に基づいて、対象範囲の通信品質情報を表示する表示ステップと、を備える。
【００１６】
本発明のさらに別の態様に係る通信品質情報表示プログラムは、コンピュータを、対象範囲を決定する範囲決定手段、地図上の領域を分割して得られる複数のメッシュのうち範囲決定手段によって決定された対象範囲に含まれるメッシュの通信品質に関する統計値であるメッシュ統計値を取得し、取得したメッシュ統計値に基づいて、対象範囲の統計値を算出する統計値算出手段、及び、統計値算出手段によって算出された統計値に基づいて、対象範囲の通信品質情報を表示する表示手段、として機能させる。
【発明の効果】
【００１７】
本発明によれば、所望の範囲における通信品質に関する通信品質情報の表示を高速化することができる。
【図面の簡単な説明】
【００１８】
【図１】一実施形態に係る通信品質情報表示システムの構成を概略的に示す図である。
【図２】図１の端末装置のハードウェア構成図である。
【図３】図１のサーバ装置のハードウェア構成図である。
【図４】図１のログ格納部に格納されるログの一例を示す図である。
【図５】図１のメッシュ統計値格納部に格納されるメッシュ管理テーブルの一例を示す図である。
【図６】統計値算出方法の一例を説明するための図である。
【図７】統計値算出方法の他の例を説明するための図である。
【図８】図１の通信品質情報表示システムによって実行されるログ収集処理を示すシーケンス図である。
【図９】図１の通信品質情報表示システムによって実行される通信品質情報表示処理を示すシーケンス図である。
【発明を実施するための形態】
【００１９】
以下、添付図面を参照しながら本発明の実施形態を詳細に説明する。図面の説明において、同一又は同等の要素には同一符号を用い、重複する説明を省略する。
【００２０】
図１は、一実施形態に係る通信品質情報表示システムの構成を概略的に示す図である。図１に示されるように、通信品質情報表示システム１は、１以上の端末装置１０と、サーバ装置３０と、を含んで構成されており、対象範囲における通信品質に関する通信品質情報を端末装置１０に表示させるシステムである。ここで、通信品質としては、通信速度（スループット）及び電波品質等が挙げられる。
【００２１】
端末装置１０は、対象範囲における通信品質に関する通信品質情報を表示する装置である。端末装置１０は、ユーザにより用いられ、通信機能を有する装置であり、例えば、スマートフォン等の携帯電話機、タブレット型端末、ノートＰＣ等である。サーバ装置３０は、対象範囲における通信品質に関する通信品質情報を端末装置１０に表示させるための情報を提供する装置であり、例えば、情報処理装置によって構成されている。なお、端末装置１０とサーバ装置３０とは、ネットワークＮＷを介して通信可能に接続されている。このネットワークＮＷは、有線及び無線のいずれで構成されてもよく、例えば、移動体通信網、インターネット、有線ＷＡＮ（Wide Area Network）、無線ＷＡＮ等のネットワークである。
【００２２】
端末装置１０は、機能的には、入力部１１と、測定部１２（測定手段）と、送受信部１３と、表示部１４（表示手段）と、処理部１５と、を備える。端末装置１０は、図２に示されるハードウェアによって構成される。
【００２３】
図２は、端末装置１０のハードウェア構成図である。図２に示されるように、端末装置１０は、物理的には、１又は複数のＣＰＵ（Central Processing Unit）１０１、主記憶装置であるＲＡＭ（RandomAccess Memory）１０２及びＲＯＭ（Read Only Memory)１０３、データ送受信デバイスである通信モジュール１０４、半導体メモリ等の補助記憶装置１０５、タッチパネル等のユーザの入力を受け付ける入力装置１０６、並びに、ディスプレイ等の出力装置１０７等のハードウェアを備えるコンピュータとして構成される。図１における端末装置１０の各機能は、ＣＰＵ１０１、ＲＡＭ１０２等のハードウェア上に１又は複数の所定のコンピュータソフトウェア（通信品質情報表示プログラム）を読み込ませることにより、ＣＰＵ１０１の制御のもとで通信モジュール１０４、入力装置１０６及び出力装置１０７を動作させるとともに、ＲＡＭ１０２及び補助記憶装置１０５におけるデータの読み出し及び書き込みを行うことで実現される。
【００２４】
図１に戻って、端末装置１０の機能構成について詳細に説明する。入力部１１は、入力装置１０６を介してユーザの操作を受け付ける入力手段として機能する。入力部１１は、受け付けたユーザの操作を示す操作情報を処理部１５に送信する。
【００２５】
測定部１２は、端末装置１０の通信品質に関する測定を行う測定手段として機能する。測定部１２は、処理部１５の指示に従って測定を行い、測定値（測定結果）を処理部１５に送信する。測定部１２は、例えば、端末装置１０の通信速度、電波品質等を測定する。
【００２６】
送受信部１３は、処理部１５からの各種情報をネットワークＮＷを介してサーバ装置３０に送信し、サーバ装置３０からの各種情報をネットワークＮＷを介して受信する送受信手段として機能する。送受信部１３は、受信した情報を処理部１５に送信する。
【００２７】
表示部１４は、後述する統計値算出部２４によって算出された統計値に基づいて、対象範囲の通信品質情報を表示する表示手段として機能する。表示部１４は、例えば、統計値を通信品質情報として表示してもよいし、統計値に応じた通信品質に関する情報を表示してもよい。また、表示部１４は、所定の範囲の地図を表示する。表示部１４は、地図上の対象範囲とともに、対象範囲の通信品質情報を表示してもよい。
【００２８】
処理部１５は、端末装置１０の動作を制御する処理手段として機能する。処理部１５は、測定制御部２１（ログ生成手段）と、範囲決定部２２（範囲決定手段）と、ズーム率取得部２３（ズーム率取得手段）と、統計値算出部２４（統計値算出手段）と、を備える。
【００２９】
測定制御部２１は、測定部１２によって行われた測定の測定値と端末装置１０の位置情報とを含むログを生成するログ生成手段として機能する。測定制御部２１は、例えば、入力部１１から通信品質の測定のための操作情報を受信したことに応じて、または、プログラムによる所定のタイミングで、測定部１２に通信品質の測定を行うよう指示する。測定制御部２１は、測定部１２によって行われた測定の測定値を受信し、測定値と、測定が行われた日時を示す測定日時情報と、測定が行われたときの端末装置１０の位置を示す緯度情報及び経度情報と、を対応付けたログを生成する。
【００３０】
なお、測定日時情報は計時部（不図示）によって取得され、緯度情報及び経度情報はＧＰＳ（Global Positioning System）等の測位部（不図示）によって取得される。ログには、端末装置１０の端末種別を示す端末情報、測定対象となったネットワークを示す回線種別情報、通信事業者を示す通信事業者情報、及び、基地局番号等の基地局を示す基地局情報等が含まれていてもよい。端末情報は記憶手段（不図示）に予め記憶されている。
【００３１】
測定制御部２１は、生成したログを送受信部１３を介してサーバ装置３０に送信する。測定制御部２１は、例えば、測定部１２によって測定が行われるごとにログをサーバ装置３０に送信する。測定制御部２１は、生成したログを端末装置１０内の記憶手段に格納し、予め定められたタイミングで記憶手段に格納されているログを纏めてサーバ装置３０に送信してもよい。
【００３２】
範囲決定部２２は、対象範囲を決定する範囲決定手段として機能する。範囲決定部２２は、対象範囲の通信品質情報を表示するための操作情報を入力部１１から受信したことに応じて、または、プログラムによる所定のタイミングで、対象範囲を決定する。範囲決定部２２は、例えば、表示部１４において表示されている地図の範囲を対象範囲として決定する。また、範囲決定部２２は、入力部１１を介してユーザによって指定された範囲を対象範囲として決定してもよい。具体例としては、範囲決定部２２は、表示部１４において表示されている地図上で、ユーザによって枠で囲まれた範囲を対象範囲として決定してもよい。
【００３３】
範囲決定部２２は、決定した対象範囲を特定するための対象範囲情報を送受信部１３を介してサーバ装置３０に送信する。対象範囲情報としては、対象範囲が矩形である場合には、例えば、対象範囲の対頂点の緯度及び経度を示す緯度情報及び経度情報、または、対象範囲の中心位置の経度及び経度を示す緯度情報及び経度情報等が用いられる。また、サーバ装置３０との間の共通ルールとして、範囲を特定するための範囲ＩＤ等が予め定められている場合には、対象範囲情報として範囲ＩＤ等が用いられてもよい。範囲決定部２２は、ズーム率取得部２３によって取得されたズーム率を示すズーム率情報を対象範囲情報に含めてサーバ装置３０に送信してもよい。
【００３４】
ズーム率取得部２３は、表示部１４において表示されている地図のズーム率を取得するズーム率取得手段として機能する。ズーム率取得部２３は、範囲決定部２２の指示に応じてズーム率を取得し、取得したズーム率を示すズーム率情報を範囲決定部２２に送信する。
【００３５】
統計値算出部２４は、後述するメッシュ統計値取得部４４によって取得されたメッシュ統計値に基づいて、対象範囲の統計値を算出する統計値算出手段として機能する。ここで、メッシュ統計値とは、メッシュにおける通信品質に関する統計値であり、メッシュとは、地図上の領域を分割して得られる区画である。統計値算出部２４は、送受信部１３を介してサーバ装置３０からメッシュ統計値情報を受信する。対象範囲の統計値算出方法については、後述する。そして、統計値算出部２４は、算出した対象範囲の統計値を表示部１４に送信する。
【００３６】
次に、サーバ装置３０の機能構成について説明する。サーバ装置３０は、機能的には、送受信部３１と、ログ格納部３２（ログ格納手段）と、メッシュ統計値格納部３３（メッシュ統計値格納手段）と、処理部３４と、を備える。サーバ装置３０は、図３に示されるハードウェアによって構成される。
【００３７】
図３は、サーバ装置３０のハードウェア構成図である。図３に示されるように、サーバ装置３０は、物理的には、１又は複数のＣＰＵ３０１、主記憶装置であるＲＡＭ３０２及びＲＯＭ３０３、データ送受信デバイスである通信モジュール３０４、並びに、ハードディスク等の補助記憶装置３０５等のハードウェアを備えるコンピュータとして構成される。図１におけるサーバ装置３０の各機能は、図３に示されるＣＰＵ３０１、ＲＡＭ３０２等のハードウェア上に１又は複数の所定のコンピュータソフトウェアを読み込ませることにより、ＣＰＵ３０１の制御のもとで通信モジュール３０４を動作させるとともに、ＲＡＭ３０２及び補助記憶装置３０５におけるデータの読み出し及び書き込みを行うことで実現される。
【００３８】
図１に戻って、サーバ装置３０の機能構成について詳細に説明する。送受信部３１は、処理部３４からの各種情報をネットワークＮＷを介して端末装置１０に送信し、端末装置１０からの各種情報をネットワークＮＷを介して受信する送受信手段として機能する。送受信部３１は、受信した情報を処理部３４に送信する。
【００３９】
ログ格納部３２は、測定制御部２１によって生成されたログを格納するログ格納手段として機能する。ログ格納部３２は、１以上の端末装置１０によって送信されたログを格納している。ログには、ログを一意に特定するための識別情報であるログＩＤと、測定部１２による測定が行われた日時を示す情報である測定日時情報と、測定部１２による測定が行われたときの端末装置１０が存在する緯度及び経度をそれぞれ示す情報である緯度情報及び経度情報と、測定部１２による測定の測定値と、が少なくとも含まれている。
【００４０】
図４は、ログ格納部３２に格納されるログの一例を示す図である。図４に示されるログ格納部３２に格納されるログは、ログＩＤと、測定日時情報と、緯度情報と、経度情報と、測定値と、端末情報と、回線種別情報と、を含む。端末情報は、測定部１２による測定を行った端末装置１０を示す情報（例えば、機種名、製品番号等）である。端末情報は、測定部１２による測定を行った端末装置１０に搭載されているソフトウェアを示す情報（例えば、ＯＳ情報、ＯＳバージョン等）であってもよい。回線種別情報は、測定部１２による測定が行われたネットワークを示す情報であり、例えば、「ＬＴＥ（Long Term Evolution）」、「ＨＳＤＰＡ（High SpeedDownlink Packet Access）」等である。
【００４１】
この例では、ログＩＤ「０００１」のログは、端末の機種がＳＯ−０２Ｆの端末装置１０によって、緯度３５．１１２度及び経度１４０．２２１度の位置において、２０１４年５月２９日１３時２０分にＬＴＥの通信速度が測定され、測定値が５０．１２Ｍｂｐｓであったことを示している。
【００４２】
メッシュ統計値格納部３３は、地図上の領域を分割して得られる複数のメッシュを含むメッシュグループを規定し、メッシュ統計値をメッシュのそれぞれに対応付けて格納するメッシュ統計値格納手段として機能する。各メッシュは、例えば、所定の緯度及び経度ごとに地図上の領域を分割して得られる。メッシュ統計値格納部３３は、メッシュを一意に特定するためのメッシュＩＤと、メッシュＩＤで特定されるメッシュの範囲を規定するための情報と、メッシュＩＤで特定されるメッシュにおけるメッシュ統計値と、を対応付けて管理するメッシュ管理テーブルを備える。
【００４３】
メッシュ統計値格納部３３は、メッシュ管理テーブルにおいて、地図上の領域を分割する分割粗さに応じた複数のメッシュグループを規定し、各メッシュグループを表示部１４において表示される地図のズーム率に対応付けてもよい。分割粗さとは、例えば、地図上の領域を分割する単位となる緯度及び経度の大きさである。つまり、各メッシュグループは、地図上の領域を分割する単位となる緯度及び経度の大きさに対応付けられており、対応付けられた緯度及び経度の大きさによって地図上の領域を分割して得られたメッシュを含んでいる。そして、ズーム率が大きくなるほど、分割粗さが小さくなるように（つまり、１つのメッシュの範囲が小さくなるように）、ズーム率とメッシュグループとが対応付けられている。
【００４４】
図５は、メッシュ統計値格納部３３に格納されるメッシュ管理テーブルの一例を示す図である。図５に示されるメッシュ管理テーブルは、ズーム率情報と、メッシュＩＤと、中心緯度情報と、中心経度情報と、メッシュ統計値と、を対応付けて記憶している。ズーム率情報は、表示部１４において表示される地図のズーム率を示す情報である。中心緯度情報及び中心経度情報は、メッシュＩＤで特定されるメッシュの中心位置の緯度及び経度をそれぞれ示す情報である。なお、この例では、ズーム率に応じて、メッシュを分割する単位となる緯度及び経度の大きさが予め定められている。このため、メッシュの中心位置の緯度及び経度によって、メッシュの範囲は特定され得る。
【００４５】
この例では、例えば、２倍のズーム率に対してメッシュＩＤ「２００００１」、「２００００２」、・・・で特定されるメッシュのメッシュグループが対応付けられている。このメッシュＩＤ「２００００１」で特定されるメッシュは、中心緯度が３５．１１３度、中心経度が１４０．００２度であり、メッシュ統計値が１９．５Ｍｂｐｓである。メッシュＩＤ「２００００２」で特定されるメッシュは、中心緯度が３５．１１５度、中心経度が１４０．００４度であり、メッシュ統計値が２２．６Ｍｂｐｓである。このように、２倍のズーム率では、地図上の領域を緯度０．００２度ごとに分割し、経度０．００２度ごとに分割したメッシュが規定されている。なお、この例では、メッシュ管理テーブルはズーム率情報を有しているが、ズーム率ごとにメッシュ管理テーブルが分割されてもよい。また、ズーム率ごとに分割されたメッシュ管理テーブルを互いに異なる格納部に格納してもよい。
【００４６】
処理部３４は、サーバ装置３０の動作を制御する処理手段として機能する。処理部３４は、ログ収集部４１と、メッシュ統計値算出部４２（メッシュ統計値算出手段）と、メッシュ選定部４３（メッシュ選定手段）と、メッシュ統計値取得部４４（メッシュ統計値取得手段）と、を備える。
【００４７】
ログ収集部４１は、送受信部３１を介して端末装置１０から受信したログを収集し、収集したログをログ格納部３２に格納する。
【００４８】
メッシュ統計値算出部４２は、ログ格納部３２に格納されたログに基づいて、メッシュ統計値格納部３３において規定されたメッシュのメッシュ統計値を算出し、算出したメッシュ統計値をメッシュ統計値格納部３３に格納するメッシュ統計値算出手段として機能する。具体的には、メッシュ統計値算出部４２は、メッシュ統計値格納部３３において規定されたメッシュのそれぞれについて、そのメッシュ内の位置を示す緯度情報及び経度情報を有するログをログ格納部３２に格納されているログから抽出する。そして、メッシュ統計値算出部４２は、抽出したログの測定値からそのメッシュのメッシュ統計値を算出する。メッシュ統計値算出部４２は、例えば、抽出したログの測定値の平均値をメッシュ統計値とする。
【００４９】
メッシュ統計値算出部４２は、予め定められたタイミングでメッシュ統計値を算出し、メッシュ統計値格納部３３に格納されているメッシュ統計値を更新する。また、メッシュ統計値算出部４２は、前回メッシュ統計値を算出してからログ格納部３２に格納されたログと、メッシュ統計値格納部３３に格納されているメッシュ統計値と、を用いて、メッシュ統計値を更新してもよい。
【００５０】
メッシュ選定部４３は、端末装置１０において決定された対象範囲に含まれるメッシュを選定するメッシュ選定手段として機能する。メッシュ選定部４３は、送受信部３１を介して端末装置１０から対象範囲情報を受信する。メッシュ選定部４３は、受信した対象範囲情報によって特定される対象範囲に、メッシュ統計値格納部３３において規定されるメッシュのうちいずれのメッシュが含まれるか判定する。そして、メッシュ選定部４３は、対象範囲に含まれると判定したメッシュを選定する。ここで、対象範囲に含まれるメッシュとは、メッシュの少なくとも一部が対象範囲に含まれるメッシュを意味する。メッシュ選定部４３は、選定したメッシュのメッシュＩＤをメッシュ統計値取得部４４に送信する。
【００５１】
メッシュ統計値格納部３３において、地図上の領域を分割する分割粗さに応じた複数のメッシュグループが規定されている場合、メッシュ選定部４３は、ズーム率取得部２３によって取得されたズーム率に対応するメッシュグループのメッシュから対象範囲を含むメッシュを選定する。つまり、メッシュ選定部４３は、受信した対象範囲情報に含まれるズーム率情報が示すズーム率を取得し、メッシュ統計値格納部３３のメッシュ管理テーブルにおいて、取得したズーム率に対応するメッシュグループを選定する。そして、メッシュ選定部４３は、受信した対象範囲情報によって特定される対象範囲に、選定したメッシュグループに含まれるメッシュのうちいずれのメッシュが含まれるか判定する。そして、メッシュ選定部４３は、対象範囲に含まれると判定したメッシュを選定する。
【００５２】
メッシュ統計値取得部４４は、メッシュ選定部４３によって選定されたメッシュのメッシュ統計値を、メッシュ統計値格納部３３から取得するメッシュ統計値取得手段として機能する。具体的に説明すると、メッシュ統計値取得部４４は、メッシュ選定部４３からメッシュＩＤを受信すると、メッシュ統計値格納部３３のメッシュ管理テーブルから、受信したメッシュＩＤに対応したメッシュのメッシュ統計値を取得する。そして、メッシュ統計値取得部４４は、取得したメッシュ統計値を含むメッシュ統計値情報を送受信部３１を介して端末装置１０に送信する。メッシュ統計値情報には、メッシュ統計値に対応するメッシュの中心緯度情報及び中心経度情報が含まれてもよい。また、メッシュ統計値情報には、メッシュ統計値に対応するメッシュの範囲を特定可能な情報が含まれてもよい。
【００５３】
次に、統計値算出部２４によって行われる対象範囲の統計値算出方法について説明する。統計値算出部２４は、例えば、以下の第１〜第３の統計値算出方法によって対象範囲の統計値を算出する。
【００５４】
（第１の統計値算出方法）
統計値算出部２４は、サーバ装置３０から受信したメッシュ統計値情報に含まれるメッシュ統計値の平均値を算出する。そして、統計値算出部２４は、メッシュ統計値の平均値を対象範囲の統計値とする。例えば、サーバ装置３０から受信したメッシュ統計値情報に、Ａ１，Ａ２，・・・，ＡＮのＮ個のメッシュ統計値が含まれていた場合、下記の式（１）によって対象範囲の統計値が算出される。
【数１】
0006360729.tif 000002
【００５５】
（第２の統計値算出方法）
統計値算出部２４は、サーバ装置３０から受信したメッシュ統計値情報に含まれるメッシュ統計値に、そのメッシュの中心と対象範囲の中心との距離に応じて重み付けをして平均値を算出する。そして、統計値算出部２４は、得られた値を対象範囲の統計値とする。具体的に説明すると、統計値算出部２４は、例えば、メッシュ統計値情報に含まれるメッシュの中心緯度情報及び中心経度情報から、各メッシュ統計値に対応するメッシュの中心と対象範囲の中心との距離を算出する。
【００５６】
例えば、図６に示されるように、対象範囲ＴにメッシュＭ１〜メッシュＭ６が含まれていた場合、メッシュＭ１〜メッシュＭ６の中心Ｃ１〜中心Ｃ６のそれぞれと対象範囲Ｔの中心ＣＴとの距離Ｒ１〜距離Ｒ６を算出する。そして、統計値算出部２４は、メッシュの中心が対象範囲の中心に近いほど、そのメッシュのメッシュ統計値の重みが大きくなるように、各メッシュ統計値に重み付けを行う。統計値算出部２４は、例えば、メッシュの中心と対象範囲の中心との距離の逆数をメッシュ統計値に乗じる。そして、統計値算出部２４は、その乗算結果を各メッシュの中心と対象範囲の中心との距離の逆数の総和によって除算し、除算結果の総和を対象範囲の統計値として算出する。
【００５７】
例えば、サーバ装置３０から受信したメッシュ統計値情報に、Ａ１，Ａ２，・・・，ＡＮのＮ個のメッシュ統計値が含まれており、各メッシュ統計値に対応するメッシュの中心と対象範囲の中心との距離がＲ１，Ｒ２，・・・，ＲＮであった場合、下記の式（２）によって対象範囲の統計値が算出される。
【数２】
0006360729.tif 000003
【００５８】
（第３の統計値算出方法）
統計値算出部２４は、サーバ装置３０から受信したメッシュ統計値情報に含まれるメッシュ統計値に、対象範囲に含まれるメッシュの面積比に応じて重み付けをして平均値を算出する。そして、統計値算出部２４は、得られた値を対象範囲の統計値とする。具体的に説明すると、統計値算出部２４は、例えば、メッシュ統計値情報に含まれるメッシュの範囲を特定可能な情報から、各メッシュ統計値に対応するメッシュのうち対象範囲に含まれる部分の面積を算出する。そして、統計値算出部２４は、メッシュの面積に対する、対象範囲に含まれる部分の面積の面積比を算出する。なお、メッシュ全体が対象範囲に含まれている場合、そのメッシュの面積比は１となる。
【００５９】
例えば、図７に示されるように、対象範囲ＴにメッシュＭ１〜メッシュＭ６が含まれていた場合、メッシュＭ１〜メッシュＭ６の対象範囲Ｔに含まれる部分の面積比ｒ１〜面積比ｒ６を算出する。そして、統計値算出部２４は、対象範囲に含まれる部分の面積比が大きいほど、そのメッシュのメッシュ統計値の重みが大きくなるように、各メッシュ統計値に重み付けを行う。統計値算出部２４は、例えば、各メッシュの対象範囲に含まれる部分の面積比をメッシュ統計値に乗じる。そして、統計値算出部２４は、その乗算結果の平均値を対象範囲の統計値として算出する。
【００６０】
例えば、サーバ装置３０から受信したメッシュ統計値情報に、Ａ１，Ａ２，・・・，ＡＮのＮ個のメッシュ統計値が含まれており、各メッシュ統計値に対応するメッシュの対象範囲に含まれる面積比がｒ１，ｒ２，・・・，ｒＮであった場合、下記の式（３）によって対象範囲の統計値が算出される。
【数３】
0006360729.tif 000004
【００６１】
次に、図８を参照して、通信品質情報表示システム１によって実行されるログ収集処理を説明する。図８は、通信品質情報表示システム１によって実行されるログ収集処理を示すシーケンス図である。図８に示される処理は、例えば、端末装置１０において通信品質の測定のための操作が行われたことに応じて、または、プログラムによる所定のタイミングで開始される。
【００６２】
まず、端末装置１０の測定制御部２１は、測定部１２に通信品質の測定を行うよう指示する。そして、測定部１２は、測定制御部２１の指示に従って測定を行い、測定値を測定制御部２１に送信する（ステップＳ１１）。続いて、測定制御部２１は、測定部１２によって行われた測定の測定値を受信し、測定値と、測定が行われた日時を示す測定日時情報と、測定が行われたときの端末装置１０の位置を示す緯度情報及び経度情報と、を少なくとも対応付けたログを生成する。そして、測定制御部２１は、生成したログを送受信部１３を介してサーバ装置３０に送信する（ステップＳ１２）。ここで、測定制御部２１は、例えば、測定部１２によって測定が行われるごとにログをサーバ装置３０に送信してもよいし、生成したログを端末装置１０内の記憶手段に格納しておき、予め定められたタイミングで記憶手段に格納されているログを纏めてサーバ装置３０に送信してもよい。
【００６３】
次に、サーバ装置３０のログ収集部４１は、送受信部３１を介して端末装置１０からログを受信する（ステップＳ１３）。そして、ログ収集部４１は、送受信部３１によって受信されたログを収集し、収集したログをログ格納部３２に格納する（ステップＳ１４）。続いて、メッシュ統計値算出部４２は、ログ格納部３２に格納されたログに基づいて、メッシュ統計値格納部３３において規定されたメッシュのメッシュ統計値を予め定められたタイミングで算出する（ステップＳ１５）。そして、メッシュ統計値算出部４２は、算出したメッシュ統計値をメッシュ統計値格納部３３のメッシュ管理テーブルに格納する（ステップＳ１６）。このようにして、ログ収集処理が終了される。
【００６４】
次に、図９を参照して、通信品質情報表示システム１によって実行される通信品質情報表示処理を説明する。図９は、通信品質情報表示システム１によって実行される通信品質情報表示処理を示すシーケンス図である。図９に示される処理は、例えば、端末装置１０において対象範囲の通信品質情報を表示するための操作が行われたことに応じて、または、プログラムによる所定のタイミングで開始される。
【００６５】
まず、端末装置１０の範囲決定部２２は、対象範囲を決定する（ステップＳ２１，範囲決定ステップ）。ここで、範囲決定部２２は、例えば、表示部１４において表示されている地図の範囲を対象範囲として決定してもよいし、入力部１１を介してユーザによって指定された範囲を対象範囲として決定してもよい。そして、範囲決定部２２は、決定した対象範囲を特定するための対象範囲情報を送受信部１３を介してサーバ装置３０に送信する（ステップＳ２２）。対象範囲情報には、ズーム率取得部２３によって取得されたズーム率情報がさらに含まれていてもよい。
【００６６】
次に、サーバ装置３０のメッシュ選定部４３は、送受信部３１を介して端末装置１０から対象範囲情報を受信する（ステップＳ２３）。そして、メッシュ選定部４３は、受信した対象範囲情報によって特定される対象範囲に、メッシュ統計値格納部３３において規定されるメッシュのうちいずれのメッシュが含まれるか判定する。なお、メッシュ統計値格納部３３において、地図上の領域を分割する分割粗さに応じた複数のメッシュグループが規定されている場合、メッシュ選定部４３は、ズーム率取得部２３によって取得されたズーム率に対応するメッシュグループのメッシュから対象範囲を含むメッシュを選定する。つまり、メッシュ選定部４３は、受信した対象範囲情報に含まれるズーム率情報が示すズーム率を取得し、メッシュ統計値格納部３３のメッシュ管理テーブルにおいて、取得したズーム率に対応するメッシュグループを選定する。そして、メッシュ選定部４３は、受信した対象範囲情報によって特定される対象範囲に、選定したメッシュグループに含まれるメッシュのうちいずれのメッシュが含まれるか判定する。
【００６７】
そして、メッシュ選定部４３は、対象範囲に含まれると判定したメッシュを選定し、選定したメッシュのメッシュＩＤをメッシュ統計値取得部４４に送信する（ステップＳ２４，メッシュ選定ステップ）。続いて、メッシュ統計値取得部４４は、メッシュ選定部４３からメッシュＩＤを受信すると、メッシュ統計値格納部３３のメッシュ管理テーブルから、受信したメッシュＩＤに対応したメッシュのメッシュ統計値を取得する（ステップＳ２５，メッシュ統計値取得ステップ）。そして、メッシュ統計値取得部４４は、取得したメッシュ統計値を含むメッシュ統計値情報を送受信部３１を介して端末装置１０に送信する（ステップＳ２６）。メッシュ統計値情報には、メッシュ統計値に対応するメッシュの中心緯度情報及び中心経度情報、メッシュ統計値に対応するメッシュの範囲を特定可能な情報等がさらに含まれてもよい。
【００６８】
次に、端末装置１０の統計値算出部２４は、送受信部１３を介してサーバ装置３０からメッシュ統計値情報を受信する（ステップＳ２７）。そして、統計値算出部２４は、例えば、上述の第１〜第３の統計値算出方法のいずれかによって対象範囲の統計値を算出する（ステップＳ２８，統計値算出ステップ）。続いて、表示部１４は、統計値算出部２４によって算出された統計値に基づいて、対象範囲の通信品質情報を表示する（ステップＳ２９，表示ステップ）。表示部１４は、例えば、統計値を通信品質情報として表示してもよいし、統計値に応じた通信品質に関する情報を表示してもよい。このようにして、通信品質情報表示処理が終了される。
【００６９】
次に、通信品質情報表示システム１及び通信品質情報表示方法の作用効果について説明する。通信品質情報表示システム１及び通信品質情報表示方法によれば、サーバ装置３０において、メッシュのそれぞれに対応付けてメッシュ統計値がメッシュ統計値格納部３３に格納されており、端末装置１０において決定された対象範囲に含まれるメッシュがメッシュ選定部４３によって選定され、選定されたメッシュのメッシュ統計値が、メッシュ統計値取得部４４によってメッシュ統計値格納部３３から取得される。そして、端末装置１０では、サーバ装置３０において取得されたメッシュ統計値を用いて対象範囲の統計値が統計値算出部２４によって算出され、算出された統計値に基づいて対象範囲の通信品質情報が表示部１４によって表示される。これにより、対象範囲内で取得されたログに含まれる測定値を用いることなく、サーバ装置３０において予め算出されたメッシュ統計値を用いて対象範囲の統計値を算出することができる。このため、膨大な量のログを処理する必要がないので、対象範囲の統計値の算出を高速化することができる。その結果、通信品質情報の表示の高速化が可能となり、ユーザビリティを向上させることができる。
【００７０】
また、メッシュ統計値格納部３３は、地図上の領域を分割する分割粗さに応じた複数のメッシュグループを、表示部１４において表示されている地図のズーム率に対応付けて規定してもよい。この場合、メッシュ選定部４３は、ズーム率取得部２３によって取得されたズーム率に対応するメッシュグループのメッシュから対象範囲に含まれるメッシュを選定する。これによれば、端末装置１０において表示されている地図のズーム率に応じた分割粗さのメッシュのメッシュ統計値を用いて、対象範囲の統計値が算出される。このため、端末装置１０において表示されている地図のズーム率に応じて、対象範囲の統計値の算出に用いられるメッシュ統計値の数を調整することができる。例えば、端末装置１０において表示されている地図のズーム率が小さいときでも、対象範囲の統計値の算出に用いられるメッシュ統計値の数が膨大な量になることを抑制でき、対象範囲の統計値の算出を高速化することが可能となる。その結果、端末装置１０において表示されている地図のズーム率を変更しても、通信品質情報の表示の高速化が可能となる。また、端末装置１０において表示されている地図のズーム率が大きいときに、メッシュ統計値の数が少なくなりすぎることを抑制でき、対象範囲の統計値の算出精度の低下を抑制することが可能となる。
【００７１】
また、メッシュのメッシュ統計値は、時間とともに変化すると考えられる。これに対し、端末装置１０の測定部１２は、端末装置１０の通信品質に関する測定を行い、測定制御部２１は、測定部１２によって行われた測定の測定値と端末装置１０の位置情報とを含むログを生成する。また、サーバ装置３０のログ格納部３２は、測定制御部２１によって生成されたログを格納し、メッシュ統計値算出部４２は、ログ格納部３２に格納されたログに基づいて、メッシュ統計値格納部３３において規定されたメッシュのメッシュ統計値を算出し、算出したメッシュ統計値をメッシュ統計値格納部３３に格納する。これによれば、端末装置１０の測定値によってメッシュ統計値を更新することができるので、対象範囲の統計値の算出精度を向上することが可能となる。
【００７２】
また、範囲決定部２２は、表示部１４において表示されている地図の範囲を対象範囲として決定してもよい。この場合、表示部１４において表示されている地図の範囲、つまり閲覧範囲における通信品質情報の表示の高速化が可能となる。
【００７３】
また、範囲決定部２２は、ユーザによって指定された範囲を対象範囲として決定してもよい。この場合、ユーザの所望の範囲における通信品質情報の表示の高速化が可能となる。
【００７４】
なお、本発明は、上述した実施形態に限定されるものではない。例えば、メッシュ統計値算出部４２は、ログ格納部３２のログに含まれる端末装置１０の機種ごとに、各メッシュのメッシュ統計値を算出し、メッシュ統計値格納部３３のメッシュ管理テーブルは、さらに端末装置１０の機種を示す端末情報を含み、端末装置１０の機種ごとに各メッシュのメッシュ統計値を管理してもよい。この場合、端末装置１０は、対象範囲情報に端末装置１０の機種を示す端末情報を含めてサーバ装置３０に送信する。そして、メッシュ統計値取得部４４は、メッシュ統計値格納部３３のメッシュ管理テーブルから、メッシュ選定部４３によって選定されたメッシュのメッシュ統計値のうち、端末装置１０の機種に応じたメッシュ統計値を取得し、メッシュ統計値情報に含めて送信する。これによれば、端末装置１０の機種ごとに通信品質に関する統計値が異なる場合でも、端末装置１０の機種に応じて、対象範囲の統計値を算出できる。このため、対象範囲の統計値の算出精度を向上でき、対象範囲の通信品質情報の信頼性の向上が可能となる。
【００７５】
また、端末装置１０において、対象範囲の通信品質情報の表示を行う操作が連続して行われた場合、範囲決定部２２によって決定された対象範囲が、前回の表示対象であった対象範囲と一部または全部重複する場合には、メッシュ統計値取得部４４は、送信済みのメッシュ統計値以外の未送信のメッシュ統計値をメッシュ統計値情報に含めて送信してもよい。この場合、メッシュ統計値情報の情報量を削減できる。
【００７６】
また、端末装置１０は、対象範囲情報に端末装置１０の処理負荷を示す負荷情報を含めてサーバ装置３０に送信してもよい。メッシュ統計値格納部３３は、メッシュ管理テーブルにおいて、地図上の領域を分割する分割粗さに応じた複数のメッシュグループを規定し、各メッシュグループを端末装置１０の処理負荷に対応付けてもよい。例えば、端末装置１０の処理負荷が大きくなるほど、分割粗さが大きくなるように（つまり、１つのメッシュの範囲が大きくなるように）対応付けられる。この場合、メッシュ選定部４３は、端末装置１０の処理負荷に対応するメッシュグループのメッシュから対象範囲を含むメッシュを選定する。つまり、メッシュ選定部４３は、受信した対象範囲情報に含まれる負荷情報が示す処理負荷を取得し、メッシュ統計値格納部３３のメッシュ管理テーブルにおいて、取得した処理負荷に対応するメッシュグループを選定する。これによれば、端末装置１０の処理負荷に応じて対象範囲の統計値の算出に用いられるメッシュ統計値の数を調整できる。例えば、端末装置１０の処理負荷が大きい場合に、対象範囲の統計値の算出に用いられるメッシュ統計値の数を減らすことができ、対象範囲の統計値の算出が遅延することを抑制できる。その結果、通信品質情報の表示の遅延を抑制することが可能となる。
【符号の説明】
【００７７】
１…通信品質情報表示システム、１０…端末装置、１２…測定部（測定手段）、１４…表示部（表示手段）、２１…測定制御部（ログ生成手段）、２２…範囲決定部（範囲決定手段）、２３…ズーム率取得部（ズーム率取得手段）、２４…統計値算出部（統計値算出手段）、３０…サーバ装置、３２…ログ格納部（ログ格納手段）、３３…メッシュ統計値格納部（メッシュ統計値格納手段）、４１…ログ収集部、４２…メッシュ統計値算出部（メッシュ統計値算出手段）、４３…メッシュ選定部（メッシュ選定手段）、４４…メッシュ統計値取得部（メッシュ統計値取得手段）。
【図１】
0006360729.tif 000005
【図２】
0006360729.tif 000006
【図３】
0006360729.tif 000007
【図４】
0006360729.tif 000008
【図５】
0006360729.tif 000009
【図６】
0006360729.tif 000010
【図７】
0006360729.tif 000011
【図８】
0006360729.tif 000012
【図９】
0006360729.tif 000013